(57)【要約】【課題】  枠体の突き合わせ部に配置されるシーラー部品を、両面テープを用いずに、簡単に位置決めして枠体に固定できるようにし、かつ、ずれたり外れたりすることを防止する。【解決手段】  縦枠に上下枠を突き合わせて形成される開口枠と、開口枠に開閉自在に取り付けられる障子と、下枠の突き合わせ端部の上面に配置されるシーラー部品とを備え、縦枠は、その内周面より突出して、その下端面が下枠の突き合わせ端部の上面に対向する片部を有しており、下枠は、その上面の突き合わせ端部より切除部が設けられているとともに、シーラー部品の裏面には、下枠の切除部に係合可能な係合突起が形成され、シーラー部品の係合突起を下枠の突き合わせ端部から切除部に係合させて、縦枠に対して下枠を突き合わせて固定することにより、縦枠の片部と下枠の上面との間でシーラー部品を挟み込むとともに、下枠の突き合わせ端面と縦枠内周面とによりシーラー部品の係合突起を挟持してなる。【選択図】  図２
2015203236.tif 000002
【特許請求の範囲】
【請求項１】
縦枠に上下枠を突き合わせて形成される開口枠と、開口枠に開閉自在に取り付けられる障子と、下枠の突き合わせ端部の上面に配置されるシーラー部品とを備え、
縦枠は、その内周面より突出して、その下端面が下枠の突き合わせ端部の上面に対向する片部を有しており、
下枠は、その上面の突き合わせ端部より切除部が設けられているとともに、シーラー部品の裏面には、下枠の切除部に係合可能な係合突起が形成され、
シーラー部品の係合突起を下枠の突き合わせ端部から切除部に係合させて、縦枠に対して下枠を突き合わせて固定することにより、縦枠の片部と下枠の上面との間でシーラー部品を挟み込むとともに、下枠の突き合わせ端面と縦枠内周面とによりシーラー部品の係合突起を挟持してなる
ことを特徴とする建具。
【発明の詳細な説明】
【技術分野】
【０００１】
本発明は、建物の開口枠に開閉自在に支持される建具に関する。
【背景技術】
【０００２】
ドア等障子を開閉自在に支持する開口枠の金属部材同士が突き合わされる箇所、例えば、縦枠の内周面より突出して形成される戸当り片の下面と下枠上面との間などにシーラー部品を配置して、両者の突き合わせ部からの雨水の浸入や光漏れを防止するドアは知られていた。
【先行技術文献】
【特許文献】
【０００３】
【特許文献１】特開２０１２−１５４１４７号公報
【発明の概要】
【発明が解決しようとする課題】
【０００４】
このようなドアでは、シーラー部品は枠体に両面テープ等を用いて接着固定されるので、枠体の組み立て時やドア等障子が開口枠の戸当り片に当接する毎にシーラー部品に力が加わり、接着位置がずれてしまう可能性があった。また、シーラー部品を枠体に対して位置決めして接着固定する必要があり、取付作業が繁雑であった。
【０００５】
本発明は、上記事情を鑑みたものであり、枠体の突き合わせ部に配置されるシーラー部品が、両面テープを用いずに、簡単に位置決めして枠体に固定でき、かつ、ずれたり外れたりすることがない建具を提供することを目的とする。
【課題を解決するための手段】
【０００６】
本発明は、縦枠に上下枠を突き合わせて形成される開口枠と、開口枠に開閉自在に取り付けられる障子と、下枠の突き合わせ端部の上面に配置されるシーラー部品とを備え、縦枠は、その内周面より突出して、その下端面が下枠の突き合わせ端部の上面に対向する片部を有しており、下枠は、その上面の突き合わせ端部より切除部が設けられているとともに、シーラー部品の裏面には、下枠の切除部に係合可能な係合突起が形成され、シーラー部品の係合突起を下枠の突き合わせ端部から切除部に係合させて、縦枠に対して下枠を突き合わせて固定することにより、縦枠の片部と下枠の上面との間でシーラー部品を挟み込むとともに、下枠の突き合わせ端面と縦枠内周面とによりシーラー部品の係合突起を挟持してなることを特徴とする。
【発明の効果】
【０００７】
本発明によれば、縦枠の片部と下枠の上面との間に配置するシーラー部品が、所望の位置に簡単に位置決め固定できるとともに、施工時やドアの開閉時における外力よってずれたりはずれたりすることを防止できる。
【図面の簡単な説明】
【０００８】
【図１】本発明の実施形態に係るドアの全体斜視図である。
【図２】本発明の実施形態に係るドアの縦枠と下枠との接続部、即ち、図１におけるＡに示す部分の開口枠の図である。
【図３】本発明の実施形態に係るドアの縦枠、下枠及びシーラー部品を示す図である。
【図４】本発明の実施形態に係るドアに用いられるシーラー部品を示す図であり、（ａ）は平面図、（ｂ）は正面図、（ｃ）は背面図、（ｄ）は、左側面図である。
【発明を実施するための形態】
【０００９】
（全体の構成）
本発明を、図１〜４に示す実施形態のドアを用いて説明する。図１に示すように、本発明の実施形態のドアは、左右の縦枠１３，１４に上枠１１及び下枠１２を突き合わせて固定してなる開口枠１と、上下框２１，２２及び左右縦框２３，２４とを四周に組んでなり、開口枠１に開閉自在に取り付けられるドア本体（障子）２と、縦枠１３，１４と下枠１２との間に配置されるシーラー部品とからなる。
【００１０】
（縦枠の構成）
開口枠の縦枠について、戸先側の縦枠１３を用いて説明する。なお、以下に説明する構成は吊元側の縦枠１４についても同様である。
図２、３に示すように、縦枠１３は、開口部の内周を覆う内周壁１３１と内周壁１３１の室内側端部より外周方向に延設される室内壁１３２と内周壁１３１の室外側端部より外周方向に延設される室外壁１３３とからなる。内周壁１３１は、その内周面の室内側部よりに内周方向に延設される戸当り片１３４が縦枠１３の長さ方向に沿って形成されており、内周壁１３１の戸当り片１３４の室外側には縦枠１３の長さ方向に沿って熱膨張材係合部１３１ａが形成されている。
【００１１】
戸当り片１３４の内周側端部には、室外側に向けて開口する係合溝１３４ａが設けられ、肉厚状に構成された縦タイト材５３が係合溝１３４ａに固定され、室外側に向けて配置されている。
【００１２】
縦枠１３の内周壁１３１の内周面は下枠１２が当接する箇所に対応して、戸当り片１３４及び熱膨張材係合部１３１ａが切除されており、板状のシーラー部材１３５が接着剤等により固定されて、下枠１２の端面と縦枠１３の内周面とのメタルタッチを防止している。
【００１３】
（下枠の構成）
下枠１２は、開口部の室外側内周を覆う室外側横壁１２１と、室外側横壁１２１の室内側より立ち上がりドア本体２の下辺が当接する下戸当り壁１２２と、下戸当り壁１２２上端より室内側へ延設される室内側横壁１２３と、室外側横壁１２１の下面より下方に延設される室外側壁１２４と、室内側横壁１２３の室内側端部より下方に延設される室内側壁１２５とからなる。
【００１４】
下戸当り壁１２２には、その上方に室外側に向かって開口する係合溝１２２ａが下枠１２の長さ方向に沿って形成されるとともに、その下方には下枠１２の長さ方向に沿って熱膨張材係合部１２２ｂが形成されている。係合溝１２２ａには下タイト材５２が固定され、室外方向に向けて配置されている。
【００１５】
下枠１２の室内側横壁１２３には、その突合せ端部より切除部１２３ａが形成されているとともに、室内側横壁１２３の突き合わせ端部の室外側に切欠部１２３ｂが形成されている。
【００１６】
（シーラー部品の構成）
シーラー部品４は、ゴム等の弾性部材からなり、図４に示すように、下枠１２の室内側横壁１２３の突き合わせ端部の上面に配置される板状のシーラー部４ａと、シーラー部４ａの室外側に設けられ下枠１２の切欠部１２３ｂに配置され、縦タイト材５３と下タイト材５２とを連続するブロック部４ｂと、シーラー部４ａの一側端の下面にＬ字状に形成された係合突起４ｃとから構成されている。
【００１７】
シーラー部品４の上面は、縦枠１３の戸当り片１３４の下端面及び縦タイト材５３の下端面が当接するための逆Ｌ字状の水平面部４ｄが形成され、水平面部４ｄの室外側かつ外周側位置には室外側に向かって下方に傾斜する傾斜部４ｅが形成されている。結露水等がシーラー部品４の上面にたまることを防止している。
【００１８】
（縦枠と下枠との固定）
縦枠１３と下枠１２とを当接固定するに際しては、下枠１２の室内側横壁１２３の突き合わせ端部よりシーラー部品４がその係合突起４ｃを切除部１２３ａに係合するように装着され、下枠１２の突き合わせ端部の上面にシーラー部品４が配置される。
【００１９】
下枠１２の上面に固定されたシーラー部品４のブロック部４ｂの下部は室内側横壁１２３の室外側に形成された切欠部１２３ｂに嵌まり込み、ブロック部４ｂの下端が下枠１２の下戸当り壁１２２に配置された下タイト材５２の上面と連続する。
【００２０】
下枠１２に対してシーラー部品４を装着した状態で下枠１２の突き合わせ端面を縦枠１３のシーラー部材１３５に当接するように突き合わせると、シーラー部品４の係合突起４ｃが下枠１２の突き合わせ端面と縦枠１３の内周壁１３１とにより挟持される。
【００２１】
そして、縦枠１３の戸当り片１３４の下端面及び縦タイト材５３の下端面と下枠１２の室内側横壁１２３の上面とによりシーラー部品４が挟み込まれて固定されることで、シーラー部品４のブロック部４ｂの上面が縦枠１３に装着された縦タイト材７の下端面に当接し、縦タイト材５３と下タイト材５２とを縦枠１３と下枠１２との突き合わせ部で連続させる。
【００２２】
−本実施形態の作用・効果−
以上のように、縦枠１３の戸当り片１３４の下端面と下枠１２の室内側横壁１２３の上面との間にシーラー部品４を配置することにより、開口枠１の突き合わせ部からの雨水の浸入や光漏れを防止することができる。
そして、シーラー部品４を、その下面に設けた係合突起４ｃを下枠１２の室内側横壁１２３（上面）の突き合わせ端部に形成された切除部１２３ａに係合させて下枠１２の上面に装着しているので、下枠１２に対するシーラー部品４の位置決めが容易であり、下枠１２に対して縦枠１３を当接固定する際に、縦枠１３の戸当り片１３４の下面によりシーラー部品４がずれたり、外れたりすることが防止できる。
【００２３】
また、下枠１２と縦枠１３とにより挟み込むことによってシーラー部品４を固定しているので、ドアの開閉時に戸当り片１３４にドア本体２が当たる際の衝撃によってもシーラー部品４のずれやはずれを防止することができ、さらに、シーラー部品４のブロック部４ｂが室内側横壁１２３の室外側に形成された切欠部１２３ｂに嵌まり込むことにより、縦タイト材５３と下タイト材５２との連続位置にブロック部４ｂを確実に配置することができる。
【００２４】
シーラー部品４の上面の縦枠１３の内周壁１３１，戸当り片１３４及び縦タイト材５３とにより囲まれる部位には、傾斜部４ｅが形成されているので、下枠１２の隅部に結露水等が溜まることが防止される。
縦枠１３及び下枠１２に形成された熱膨張材係合部１３１ａ，１２２ｂには、必要に応じて熱膨張材を装着することにより耐火ドアとして構成することができる。
【符号の説明】
【００２５】
１  開口枠
１１  上枠
１２  下枠
１２１  室外側横壁
１２２  下戸当り壁
１２２ａ  係合溝
１２２ｂ  熱膨張材係合部
１２３  室内側横壁（下枠上面）
１２３ａ  切除部
１２３ｂ  切欠部
１２４  室外側壁
１２５  室内側壁
１３  縦枠
１３１  内周壁
１３１ａ  熱膨張材係合部
１３２  室内側壁
１３３  室外側壁
１３４  戸当り片（片部）
１３４ａ  係合溝
１３５  シーラー部材
１４  縦枠
２  ドア本体
２１  上框
２２  下框
２３  縦框
２４  縦框
４  シーラー部品
４ａ  シーラー部
４ｂ  ブロック部
４ｃ  係合突起
４ｄ  水平面部
４ｅ  傾斜部
５２  縦タイト材
５３  下タイト材
【図１】
2015203236.tif 000003
【図２】
2015203236.tif 000004
【図３】
2015203236.tif 000005
【図４】
2015203236.tif 000006